(57)【要約】【課題】簡易な構成で高精度にプロキシミティー式での連続露光が実現でき、これにより被露光膜の塗工・乾燥などの露光工程以外の他の工程も一連に連続して行え、極めて量産性に優れたパッシブ方式の３Ｄ光学フィルターの連続製造をすること。【解決手段】被露光膜を塗工した塗工済フィルム１を搬送する搬送装置２にこのフィルム１を支承するバックロール３を設け、フォトマスク５を介して前記フィルム１の長さ方向をライン方向とする前記奇数ライン若しくは前記偶数ラインに位置させる搬送中のフィルム１の被露光膜のライン状部に光を照射して、このバックロール３に支承されて搬送されているフィルム１のライン状部を連続露光する光照射部６を前記バックロール３と対向する位置に設けた露光用光照射装置７を備えた３Ｄ光学フィルターの製造装置。【選択図】図２
2012220608.tif 000002
【特許請求の範囲】
【請求項１】
左目用の画像と右目用の画像とを奇数ラインと偶数ラインに交互に表示する３Ｄ画像用ディスプレイに設けて、透過することで奇数ラインと偶数ラインの画像を夫々異なる偏光光に偏光させる３Ｄ光学フィルターの製造装置であって、基材となる透明フィルムに被露光膜を塗工した塗工済フィルムを搬送する搬送装置にこのフィルムを支承するバックロールを設け、このバックロールを前記フィルム搬送に同期させて回転させる回転駆動装置を設け、フォトマスクを介して前記フィルムの長さ方向をライン方向とする前記奇数ライン若しくは前記偶数ラインに位置させるこのフィルムの前記被露光膜のライン状部に光を照射して、前記バックロールに支承されて搬送されているこのフィルムの被露光膜のライン状部を連続露光する光照射部を前記バックロールと対向する位置に設けた露光用光照射装置を備え、前記フォトマスクはガラス板で形成し、このフォトマスクを、前記バックロールにより支承搬送されている前記フィルムと離間状態に対向配設するマスクホルダーを設け、このマスクホルダーに設けた前記フォトマスクの位置若しくは向きを微調整するマスク位置調整装置を備えたことを特徴とする３Ｄ光学フィルターの製造装置。
【請求項２】
光源とこの光源からの光を前記光照射部へ導光する光学系とからなる光源ユニットと、前記光源からの光を偏光する露光用の偏光子とで構成される前記露光用光照射装置に、この光源ユニット及び露光用の偏光子により前記バックロールの回転軸に対して直角に偏光照射光を照射する前記光照射部を設け、この光照射部から照射される偏光照射光を前記フィルムの長さ方向をライン方向とする前記奇数ライン若しくは偶数ラインに位置させる部分となるこのフィルムの前記被露光膜の前記ライン状部に照射して、このライン状部を連続露光させる前記フォトマスクを、前記バックロール上の前記フィルムと離間状態に対向配設したことを特徴とする請求項１記載の３Ｄ光学フィルターの製造装置。
【請求項３】
前記フォトマスクは、前記フィルムの長さ方向をライン方向としたライン状透光部とライン状マスク部とが交互に並設した構成とし、前記マスク位置調整装置は、前記フィルムの前記被露光膜の前記ライン状部と合致させる前記ライン状透光部の並設方向をＸ方向、これと直交するライン方向をＹ方向、これらと夫々直交する前記フィルムとの対向方向をＺ方向、前記ＸＹ面で回転する方向をθ方向としてこれらＸＹＺθ方向に前記フォトマスクを微調整設定するマスクホルダー移動調整設定機構を備えた構成としたことを特徴とする請求項１，２のいずれか１項に記載の３Ｄ光学フィルターの製造装置。
【請求項４】
前記バックロールの片側対向位置に前記光照射部を配設した前記露光用光照射装置を備えると共に、このバックロールを挟んで反対側のバックロールの反対側対向位置に、前記露光用光照射装置により露光した前記被露光膜の前記ライン状部間を露光する第二光照射部を設けた第二露光用光照射装置を設けたことを特徴とする請求項１〜３のいずれか１項に記載の３Ｄ光学フィルターの製造装置。
【請求項５】
前記バックロールにより支承される前記フィルムの搬送位置を設定若しくは補正するフィルムアライメント装置を備えたことを特徴とする請求項１〜４のいずれか１項に記載の３Ｄ光学フィルターの製造装置。
【発明の詳細な説明】
【技術分野】
【０００１】
本発明は、３Ｄ画像用ディスプレイに設ける３Ｄ光学フィルターの製造装置に関するものである。
【背景技術】
【０００２】
３Ｄ映像の表示方式は、専用のメガネを用いるものとしては、大別するとアクティブ方式とパッシブ方式の二つに分けられる。
【０００３】
いずれも左目用の映像と右目用の映像を特殊なカメラで夫々撮影し、専用のメガネを用いて左右の目に別々の映像を送り届けて立体的に見せるもので、アクティブ方式では、左目用と右目用の映像を画面上で高速で交互に表示し、同時にこれと同期させてメガネの左右のレンズのシャッターを高速で開閉させて立体的に見せる仕組みとなっている。
【０００４】
一方、パッシブ方式は、偏光を利用するもので、画面上に左目用と右目用の映像を夫々ストライプ状にして夫々が交互に配列するようにして同時に表示し、画面に３Ｄ光学フィルターとしての偏光フィルターを取り付け、併せて偏光メガネを用いて、左目用と右目用の映像を同時に夫々の目に分けて送り届けることで立体的に見せる仕組みとなっている。
【０００５】
このパッシブ方式は、映像の解像度が半分になってしまうが、アクティブ方式の専用メガネのように電子的なシャッターによる左右一方の目への画像遮断の切り替えが不要なため、専用メガネは電気回路を特に必要とせず、電池なども不要で、安価で軽量となり、ふらつきの無い鮮明なフルカラー映像を見せることができる。
【０００６】
具体的には、例えば図５に示すように、ディスプレイ30上の奇数ラインと偶数ラインに、左目用と右目用の画素を交互に割り付ける水平インターリーブ画像を採用する。
【０００７】
例えば、１９２０×１０８０画素のフルハイビジョンの場合、この水平インターリーブ画像は、左目用が１９２０×５４０画素，右目用が１９２０×５４０画素となり、水平解像度は維持されるが、垂直解像度は半分になる水平インターリーブ画像を表示する。
【０００８】
このような画像（映像）を表示するディスプレイ30に３Ｄ光学フィルター31を付設して、交互に配列した左目用画像と右目用画像とを夫々異なる偏光状態に偏光し、これを左右異なる偏光フィルターで構成した偏光メガネ32で見ることで、左目では左目用画像だけを見ることができ、右目では右目用画像だけを見ることができるように構成する。
【０００９】
即ち、この３Ｄ光学フィルター31は、奇数ラインと偶数ラインに対応するように偏光軸が９０度異なるライン状の偏光フィルター部33，34（偏光層）を交互に形成し、ディスプレイ30（バックライト）からの直線偏光がこの各偏光フィルター部33，34により互いに回転方向の異なる円偏光35，36に偏光され、例えば偏光メガネ32の左目偏光部38は奇数ラインからの円偏光36しか通過せず、右目偏光部37は偶数ラインからの逆回りの円偏光35しか通過しないように偏光メガネ32を構成しておき、このような偏光メガネ32を用いることで、前述のように３Ｄ映像を見ることができるものである。
【００１０】
このような奇数ラインと偶数ラインに対応するように交互に異なるライン状の偏光フィルター部を形成した３Ｄ光学フィルターは、フィルム１上に配向膜（偏光照射光によって露光することでその上層の液晶ポリマー層を配向させる整列層となる被露光膜）を塗工して乾燥し、この配向膜（被露光膜）にフォトマスクを介して、奇数ライン用のライン状偏光フィルター部（偏光層）をストライプ状に形成するために偏光した光を照射して露光し、この露光したストライプ状露光部間に偶数ライン用のライン状偏光フィルター部（もう一つの偏光層）を形成するために異なる偏光光を照射して露光し、この露光した配向膜（被露光膜）に、これにより配向されることとなる偏光層を形成する液晶ポリマー層（ＬＣＰ）を塗工形成して乾燥させ配向させた後、ＵＶ硬化させてこの配向状態を固定し、この３Ｄ光学フィルターを製造している。
【００１１】
従来、このようにして製造するパッシブ方式に用いる３Ｄ光学フィルターの製造装置における露光装置は、前記ディスプレイの奇数ラインや偶数ラインに対応する被露光膜のライン状部に精度良く偏光した光を照射して露光形成する前記ライン状の偏光フィルター部と、これとは異なる偏光光により露光して形成する異なるライン状の偏光フィルター部とを交互に並設形成しなければならないため、配向膜（偏光照射光により露光することで整列層となる被露光膜）を塗工したフィルムと、ライン状透光部とライン状マスク部とを交互に配列形成したフォトマスクとを、精度良く位置合わせ（アライメント）しなければならないし、また偏光光で露光して被露光膜を露光した後、液晶ポリマー層（ＬＣＰ）を塗工形成して乾燥後ＵＶ硬化させるため、このフォトマスクはフィルムに接触できず、離間させた状態でアライメントし露光する非接触式（プロキシミティー式）の露光装置としなければならない。従って、フォトマスクは被露光膜を塗工したフィルム上でアライメントして固定した後、このフォトマスクを介して光を照射してこの被露光膜のライン状部を露光した後、フィルムを搬送して再び停止させ、再びこのフィルムに対してフォトマスクをアライメントした後露光するように構成しなければならない。
【００１２】
従って、被露光膜の塗工・乾燥などの工程と共にこのような露光装置による露光工程や露光後の処理工程を経て、３Ｄ光学フィルムを製造しようとする場合は、フィルムを間欠搬送させ、遂次アライメントしなければならないし、またこの間欠搬送のため被露光膜の塗工・乾燥などの他の工程もスムーズに連続して行えず、製造能率が悪く量産性に著しく劣るものであった。
【００１３】
そのため、例えば被露光膜を塗工し乾燥する一連の工程を終えたフィルムを引き続き搬送する搬送装置の途中のこの露光工程を行う位置に一対の搬送ローラを設けて、フィルムテンションによってこの搬送ローラ間にフィルムが水平張設されるように構成し、この搬送ローラ間の上方にフォトマスクを配設し、ライン方向をこのフィルム長さ方向として搬送しながらこのフォトマスクを介して偏光光を照射することでライン状に連続露光が行えるようにすることが考えられる。
【００１４】
即ち、例えば特開２００１−４２１１８号のようなフィルムへの連続露光手段を用いて、搬送ローラ間にフィルムテンションを用いて常にこの搬送されているフィルムが水平に張設されるように構成し、この搬送ローラ間上方にフォトマスクを配置することでプロキシミティー式で連続露光を実現しようとすることが考えられる。
【００１５】
このように構成することで、間欠搬送とせずとも予めフィルムに対してフォトマスクをアライメントして固定しておけば、連続露光が行え、これにより他の一連の工程も連続して行えることが可能となるなど極めて製造能率が上がり、量産性に優れることとなる。
【先行技術文献】
【特許文献】
【００１６】
【特許文献１】特開２００１−４２１１８号公報
【発明の概要】
【発明が解決しようとする課題】
【００１７】
しかしながら、さほど精度が要求されない露光ならば良いが、このような一対の搬送ローラ間にフィルムを張設しても、フィルムのしわや歪みやフィルム振動によりフォトマスクとの離間距離が一定とならず、露光の位置精度が不十分となり、この高い位置精度が要求される３Ｄ光学フィルターの製造装置における露光手段としては採用できない。
【００１８】
また、フィルムとフォトマスクとの離間距離が大きい程ボケが生じ露光位置精度が劣り解像度が劣ってしまうため、このプロキシミティー式で露光を行う場合には、できるだけ近接させる必要があり、例えばガラス基板上に形成した被露光層をフォトマスクを近接させて露光する場合では、１００μｍ〜１５０μｍまで近接させて露光させることができ、十分にボケを抑えたブロキシミティ露光が行える。
【００１９】
しかし、前述のようにフィルムを搬送させながら、このフィルムに塗工形成した被露光膜に搬送ローラ間のフィルム張設部分上にフォトマスクを配置してこのフィルムの被露光膜に連続露光しようとしても、前述したフィルムの歪みや振動によって５００μｍ程度までしか近接できず、露光ボケによって高精度の露光が望めなく、また無理にガラス基板と同様に近接させるとフィルム振動によって接触のおそれが高まるために、フィルム搬送速度が上げられず、生産性が低下することになる。
【００２０】
即ち、フォトマスクを介して露光する部分はフィルム長さ方向をライン方向とするライン状であるため、このライン方向での精度誤差は比較的許容できるが、これと直交し異なる偏光フィルター部を交互に並設形成する横方向では高い位置精度が要求されるため、このような搬送ローラ間でプロキシミティー式で連続露光を行う手法では、このように高い精度が要求をされる３Ｄ光学フィルターの連続製造を実現することはできない。
【００２１】
本発明は、このような問題点を見い出し、このようなパッシブ方式に用いる３Ｄ光学フィルターの製造において、簡易な構成で高精度にプロキシミティー式での連続露光が実現でき、これにより被露光膜の塗工・乾燥などの露光工程以外の他の工程も一連に連続して行え、極めて量産性に優れた３Ｄ光学フィルターの連続製造が実現できる極めて優れた３Ｄ光学フィルターの製造装置を提供することを目的としている。
【課題を解決するための手段】
【００２２】
添付図面を参照して本発明の要旨を説明する。
【００２３】
左目用の画像と右目用の画像とを奇数ラインと偶数ラインに交互に表示する３Ｄ画像用ディスプレイに設けて、透過することで奇数ラインと偶数ラインの画像を夫々異なる偏光光に偏光させる３Ｄ光学フィルターの製造装置であって、基材となる透明フィルムに被露光膜を塗工した塗工済フィルム１を搬送する搬送装置２にこのフィルム１を支承するバックロール３を設け、このバックロール３を前記フィルム搬送に同期させて回転させる回転駆動装置４を設け、フォトマスク５を介して前記フィルム１の長さ方向をライン方向とする前記奇数ライン若しくは前記偶数ラインに位置させるこのフィルム１の前記被露光膜のライン状部に光を照射して、前記バックロール３に支承されて搬送されているこのフィルム１の被露光膜のライン状部を連続露光する光照射部６を前記バックロール３と対向する位置に設けた露光用光照射装置７を備え、前記フォトマスク５はガラス板で形成し、このフォトマスク５を、前記バックロール３により支承搬送されている前記フィルム１と離間状態に対向配設するマスクホルダー14を設け、このマスクホルダー14に設けた前記フォトマスク５の位置若しくは向きを微調整するマスク位置調整装置15を備えたことを特徴とする３Ｄ光学フィルターの製造装置に係るものである。
【００２４】
また、光源８とこの光源８からの光を前記光照射部６へ導光する光学系９とからなる光源ユニット10と、前記光源８からの光を偏光する露光用の偏光子11とで構成される前記露光用光照射装置７に、この光源ユニット10及び露光用の偏光子11により前記バックロール３の回転軸に対して直角に偏光照射光を照射する前記光照射部６を設け、この光照射部６から照射される偏光照射光を前記フィルム１の長さ方向をライン方向とする前記奇数ライン若しくは偶数ラインに位置させる部分となるこのフィルム１の前記被露光膜の前記ライン状部に照射して、このライン状部を連続露光させる前記フォトマスク５を、前記バックロール３上の前記フィルム１と離間状態に対向配設したことを特徴とする請求項１記載の３Ｄ光学フィルターの製造装置に係るものである。
【００２５】
また、前記フォトマスク５は、前記フィルム１の長さ方向をライン方向としたライン状透光部16とライン状マスク部17とが交互に並設した構成とし、前記マスク位置調整装置15は、前記フィルム１の前記被露光膜の前記ライン状部と合致させる前記ライン状透光部16の並設方向をＸ方向、これと直交するライン方向をＹ方向、これらと夫々直交する前記フィルム１との対向方向をＺ方向、前記ＸＹ面で回転する方向をθ方向としてこれらＸＹＺθ方向に前記フォトマスク５を微調整設定するマスクホルダー移動調整設定機構を備えた構成としたことを特徴とする請求項１，２のいずれか１項に記載の３Ｄ光学フィルターの製造装置に係るものである。
【００２６】
また、前記バックロール３の片側対向位置に前記光照射部６を配設した前記露光用光照射装置７を備えると共に、このバックロール３を挟んで反対側のバックロール３の反対側対向位置に、前記露光用光照射装置７により露光した前記被露光膜の前記ライン状部間を露光する第二光照射部12を設けた第二露光用光照射装置13を設けたことを特徴とする請求項１〜３のいずれか１項に記載の３Ｄ光学フィルターの製造装置に係るものである。
【００２７】
また、前記バックロール３により支承される前記フィルム１の搬送位置を設定若しくは補正するフィルムアライメント装置を備えたことを特徴とする請求項１〜４のいずれか１項に記載の３Ｄ光学フィルターの製造装置に係るものである。
【発明の効果】
【００２８】
本発明は上述のように構成したから、パッシブ方式に用いる３Ｄ光学フィルターの製造において、簡易な構成で高精度にプロキシミティー式での連続露光が実現でき、これにより被露光膜の塗工・乾燥などの露光工程以外の他の工程も一連に連続して行え、極めて量産性に優れた３Ｄ光学フィルターの連続製造が実現できる極めて優れた３Ｄ光学フィルターの製造装置となる。
【００２９】
また、請求項２〜５記載の発明においては、一層簡易な構成で位置精度の高い３Ｄ光学フィルターを連続露光でき、一層実用性に優れた３Ｄ光学フィルターの製造装置となる。
【図面の簡単な説明】
【００３０】
【図１】本実施例の概略構成説明正面図である。
【図２】本実施例の露光装置部分の拡大説明正面図である。
【図３】本実施例の露光装置部分の拡大説明平断面図である。
【図４】本実施例のマスクホルダー及びこのマスクホルダーに設けたフォトマスクの位置を微調整するマスク位置調整装置の概略構成説明斜視図である。
【図５】３Ｄ光学フィルターを用いたパッシブ方式の３Ｄ映像表示方式を示す説明図である。
【発明を実施するための形態】
【００３１】
好適と考える本発明の実施形態を、図面に基づいて本発明の作用を示して簡単に説明する。
【００３２】
透明フィルムに偏光照射光によって露光することで整列層となる被露光膜を塗工し乾燥を終えた塗工済フィルム１を搬送し、このフィルム１の長さ方向をライン方向として前述したように透過する光を異なる偏光状態に偏光する二種のライン状偏光フィルター部33，34を交互に配列形成するように露光形成する。
【００３３】
即ち、例えばフィルム１が折り返し搬送されるバックロール３の片側に配設した露光用光照射装置７の光照射部６から、このバックロール３に支承されながら搬送されているフィルム１へ偏光した光が照射されるが、この偏光照射光は光照射部６に設けたフォトマスク５を介してフィルム１の被露光膜のライン状部に照射されてこの被露光膜を露光し、またそのライン状に露光した部分間に、例えばこのバックロール３を挟んで反対側に設けた第二露光用光照射装置13の第二照射部12から異なる偏光照射光を照射して露光し、この露光工程を終えた被露光膜上に、これを夫々異なる偏光状態に配向させる整列層として機能させて、交互に異なる向きに配向して交互に異なる偏光層（ライン状の偏光フィルター部）が並設形成されることとなる液晶ポリマー層（ＬＣＰ）を塗工形成して乾燥し、この配向したＬＣＰをＵＶ硬化しこの配向状態を固定してパッシブ方式に用いる３Ｄ光学フィルターを製造する。
【００３４】
このようにして、フィルム１の被露光膜を異なる偏光照射光により露光してこれに塗工するＬＣＰを夫々異なる配向状態に配向させてストライプ状に交互に二種のライン状の偏光フィルター部33，34を並設形成するが、このライン方向をフィルム長さ方向とするためこの方向での精度誤差は比較的許容されるものの、これと直交する並設方向の横方向では高い位置精度が要求される。
【００３５】
この点、本発明では、フィルム１はこのフィルム１の搬送に同期させて駆動させるバックロール３により支承搬送されていて、このバックロール３に支承されている搬送中のフィルム１に対してフォトマスク５を対向配設して露光するため、フィルム１のしわや歪みやフィルム振動による離間距離の変動などの問題は解消され、また、これによりガラス基板上の被露光層を露光する場合と同程度にまでフォトマスクを近接させることができるため、ボケも生じにくく、またフィルム振動が抑えられるため高速搬送も可能となり、非接触式でありながら間欠搬送せずとも生産性良く高い精度での連続露光が行える。
【００３６】
また更にこのフォトマスク５自体もガラス板で形成し、これにライン状透光部16とライン状マスク部17とを形成するため、マスク精度の高いフォトマスク５に形成でき、またフィルム１と離間状態であっても前述のようにフィルム１の歪みや振動を解消できるため近接でき、またこのフォトマスク５を取り付けるマスクホルダー14にはこのフォトマスク５を微調整設定するマスク位置調整装置15を備えているため、フィルム１に対して更に精度良くフォトマスク５を近接させて正しい位置に対向配設できることとなる。
【００３７】
そして、露光用光照射装置７の光照射部６から露光用の偏光照射光をバックロール３の回転軸に対して直角に導光照射することで、更に精度良く偏光フィルター部33をストライプ状に露光形成できることになり、その露光部間にバックロール３の反対側の対向位置に設けた第二露光用光照射装置13の第二光照射部12から同様に異なる偏光照射光を照射すれば、このバックロール３を共用して異なる偏光フィルター部34も交互に露光形成でき、このようにしてフォトマスク５と非接触とするプロキシミティー式での連続露光が精度良く行え、またフィルム搬送速度を上げることも可能となり、従って、他の工程も間欠することなく連続して行え、このような３Ｄ光学フィルターを極めて能率良く量産できることとなる。
【００３８】
即ち、高い位置精度が要求されるプロキシミティー式での連続露光を含めての一連の工程が間欠搬送されることなく連続して行え、十分にフォトマスクを近接させて行うことができる３Ｄ光学フィルターの連続製造が実現でき、極めて量産性に優れた３Ｄ光学フィルターの製造装置を実現できることとなる。
【実施例】
【００３９】
本発明の具体的な実施例について図面に基づいて説明する。
【００４０】
本実施例では、３Ｄ光学フィルターの一連の製造工程をフィルム搬送により連続して行うことができるように構成したもので、基材となる透明フィルム１を巻出ロール18から引き出し搬送し、巻取ロール19に巻き取って行くように構成し、前述のように、透明フィルム１にコータ20により偏光照射光によって露光することで整列層となる配向膜（被露光膜）を塗工し、被露光膜乾燥装置21により乾燥し、この塗工・乾燥工程を終えたフィルム１を引き続き搬送する搬送装置２の途中にこのフィルム幅より大きな幅のバックロール３を設け、このバックロール３にフィルム１を導行し、このバックロール３の略半周面にフィルム１が折り返し支承されるようにしてバックロール３に支承搬送されるフィルム１が次の工程に引き続き搬送されるように構成している。
【００４１】
このバックロール３を挟んで両側に露光用光照射装置７と第二露光用光照射装置13とを配設し、この露光用光照射装置７及び第二露光用光照射装置13の光照射部６と第二光照射部12から夫々異なる偏光照射光を照射して、フィルム１の被露光膜をストライプ状に順次露光して異なる二種のライン状偏光フィルター部33，34を交互に形成するためにこの上に塗工する偏光層を配向させる整列層が露光形成されるように構成し、このバックロール３を経て搬送されたフィルム１のこの露光済の整列層に更にこの整列層によって配向する偏光層（ライン状偏光フィルター部）となる液晶ポリマー層（ＬＣＰ）をコータ22により塗工形成し、ＬＣＰ乾燥装置23で乾燥させて配向させた後、ＵＶ硬化装置24によりＵＶ硬化させこの配向状態を固定し、検査装置25で検査した後巻取ロール19に巻き取られるように構成としている。
【００４２】
従って、本実施例では、この３Ｄ光学フィルターの一連の工程を露光工程に含めて連続搬送させながら行い、巻取ロール19に巻き取ることができる装置に構成している。
【００４３】
更に具体的に説明すると、本実施例では、前述のように、基材となる透明フィルムに被露光膜を塗工した塗工済フィルム１を搬送する搬送装置２の途中に、このフィルム１を支承するバックロール３を設け、このバックロール３を前記フィルム搬送に同期させて回転させる回転駆動装置４を設けている。
【００４４】
即ち、透明フィルム１に被露光膜を塗工・乾燥する工程に続いて、フォトマスク５による露光工程及び露光後の配向させた状態を固定する処理工程を連続して行うもので、これら一連の工程を行うフィルム１の搬送装置２の途中の露光装置として、バックロール３とこれの左右に対向配設する露光用光照射装置７と第二露光用光照射装置13とを設けた構成としている。
【００４５】
このバックロール３は、前述のようにフィルム１幅より大きい幅でその半周面にフィルム１が折り返し当接され、前記バックロール３自身の同期回転によって、常にこのバックロール３がフィルム１の反対面を支承した状態で、このフィルム１と対向配設したフォトマスク５を介してこのフィルム１の表面の被露光膜をストライプ状に順次露光するように構成している。
【００４６】
即ち、この露光用光照射装置７に前記バックロール３と対向する位置に光照射部６を設け、この光照射部６によりフォトマスク５を介して前記フィルム１の長さ方向をライン方向とする前記奇数ライン若しくは前記偶数ラインに位置させるフィルム１の被露光膜のライン状部に偏光照射光を照射して、前記バックロール３に支承されて搬送されているフィルム１のこの被露光膜のライン状部を連続露光するように前記露光用光照射装置７を構成している。
【００４７】
また、前記フォトマスク５は、石英ガラスなどのガラス板で形成して、マスク精度の高いフォトマスク５としている。
【００４８】
また、このフォトマスク５を、前記バックロール３により支承搬送されている前記フィルム１と離間状態に対向配設するマスクホルダー14を設け、このマスクホルダー14に着脱自在に取り付ける前記フォトマスク５の位置及び向きを微調整するマスク位置調整装置15を設けている。
【００４９】
具体的には、光源８とこの光源８からの光を反射板や導光板などにより前記光照射部６へ導光してフィルム１へ直角に（バックロール３の回転軸に直角に）照射する光学系９とからなる光源ユニット10と、この光源ユニット10により導光した光を露光用に偏光する偏光子11とで構成される前記露光用光照射装置７に、この光源ユニット10及び露光用の偏光子11により前記バックロール３の回転軸に対して直角に偏光照射光を照射する前記光照射部６設け、この光照射部６から照射される偏光照射光を前記フィルム１の長さ方向をライン方向とする前記奇数ライン若しくは偶数ラインに位置させる部分となる前記フィルム１のストライプ状の前記被露光膜のライン状部に照射して連続露光させることになるライン状透光部16をストライプ状に形成した（ライン状マスク部17をストライプ状に形成した）前記フォトマスク５を、前記バックロール３上の前記フィルム１と近接離間状態に対向配設した構成としている。
【００５０】
また、このフォトマスク５は、前述のように前記フィルム１の長さ方向をライン方向としたライン状透光部16とライン状マスク部17とを交互に並設した構成としているが、ガラス板で形成するため、高い位置精度でこのマスクパターンを形成できる。
【００５１】
また前記マスク位置調整装置15は、前記フィルム１のストライプ状の前記ライン状部と合致させるストライプ状の前記ライン状透光部16の並設方向をＸ方向、これと直交するライン方向をＹ方向、これらと夫々直交する前記フィルム１との対向方向をＺ方向、前記ＸＹ面で回転する方向をθ方向としてこれらＸＹＺθ方向のいずれにも前記フォトマスク５を微調整移動できるマスクホルダー移動調整設定機構を備えた構成としている。
【００５２】
例えば、図４に示すように、基台26に対してＺ軸方向にガイド部を介して移動調整設定自在に設けた取付台27に、θ方向に回動調整設定自在に回動取付部28を設け、この回動取付部28の前面にＹ方向にガイド部を介して移動調整設定自在にＹ方向調整取付部29を設けると共に、更にＸ方向にガイド部を介して移動調整設定自在にＸ方向調整取付部としてマスクホルダー14を設けた構成としている。
【００５３】
また、本実施例では、前述のように前記バックロール３の片側対向位置に前記光照射部６を配設した前記露光用光照射装置７を備えると共に、このバックロール３を挟んで反対側のバックロール３の反対側対向位置に、前記露光用光照射装置７により露光した前記ライン状部間の未露光部分を更に連続露光する第二光照射部12を設けた第二露光用光照射装置13を設けた構成としている。
【００５４】
この第二露光用光照射装置13は、すでに露光用光照射装置７により露光したストライプ状のライン状部間に異なる偏光子11により異なる偏光照射光を照射するもので、すでに露光済のこのストライプ状のライン状部にこの光が照射しても構わない場合には、フォトマスク５は不要としても良い。
【００５５】
更に説明すると、奇数ラインと偶数ラインとに対応するライン状部に夫々異なる偏光照射光を前記露光用光照射装置７と前記第二露光用光照射装置13とにより照射して、フィルム１に近接配置したフォトマスク５を介して露光するが、この露光用光照射装置７と第二露光用光照射装置13とをバックロール３を挟んで対向配設し、この各装置７，13の光照射部６と第二光照射部12とを夫々このバックロール３に支承搬送されているフィルム１に対向配設することで、一つのバックロール３で（一つのバックロール３を共用して）夫々フィルム１に前記各偏光照射光を精度良く露光できることとなる。
【００５６】
また前述のように例えば各偏光照射光の強さに夫々強弱を付けて強い偏光照射光で露光した後に、異なる弱い偏光照射光を照射する場合は、未露光部分はこの弱い偏光照射光で露光されるが、強い偏光照射光での露光済部分はこの弱い偏光照射光が照射しても強い偏光照光によって露光されたことによる影響が生じない程弱いものであれば、フォトマスク５を用いずに全面にこの弱い偏光照射光を照射して露光しても良い。
【００５７】
また逆に弱い偏光照射光を第二露光用光照射装置13により先にフォトマスク５なしで全面に照射した後に、露光用光照射装置７によりフォトマスク５を介して強い偏光照射光を照射しても良く、このように露光用光照射装置７と第二露光用光照射装置13とはいずれを搬送上流側に設けるか、また一つのバックロール３を用いて対向配設するかどうか、第二露光用光照射装置13にフォトマスク５を設けるかどうかなどを含めて適宜設計し得るものである。
【００５８】
また、図示していないが、前記バックロール３により支承される前記フィルム１の搬送位置を設定若しくは補正するフィルムアライメント装置を備えている。例えばフィルム１に設けたアライメントマークと基準マークとをセンシングしてフィルム１あるいはバックロール３を自動的に遂次移動調整して常にフィルム１の搬送位置を微調整修正するように構成し、一層高い露光精度となるように構成している。
【００５９】
尚、本発明は、本実施例に限られるものではなく、各構成要件の具体的構成は適宜設計し得るものである。
【符号の説明】
【００６０】
１  フィルム
２  搬送装置
３  バックロール
４  回転駆動装置
５  フォトマスク
６  光照射部
７  露光用光照射装置
８  光源
９  光学系
10  光源ユニット
11  偏光子
12  第二光照射部
13  第二露光用光照射装置
14  マスクホルダー
15  位置調整装置
16  ライン状透光部
17  ライン状マスク部
【図１】
2012220608.tif 000003
【図２】
2012220608.tif 000004
【図３】
2012220608.tif 000005
【図４】
2012220608.tif 000006
【図５】
2012220608.tif 000007